【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
放送される番組を受信し再生する放送受信手段と、
コンテンツアーカイブからコンテンツを取得するコンテンツ取得手段と、
前記コンテンツ取得手段が取得したコンテンツを再生する再生手段と、
放送中の第１の番組と同内容の第１のコンテンツを前記コンテンツアーカイブから前記コンテンツ取得手段が取得し、前記再生手段が再生している場合に、前記再生中の第１のコンテンツと前記放送中の第１の番組との間の終了時刻の差を検出する差分検出手段と、
前記第１のコンテンツと前記第１の番組の終了時刻に差がある場合、前記第１の番組の次に開始する第２の番組と同内容の第２のコンテンツを前記コンテンツアーカイブから取得するように前記コンテンツ取得手段を制御するとともに、前記第２のコンテンツを前記再生中の第１のコンテンツに続いて再生するように前記再生手段を制御する制御手段と、を有することを特徴とする受信装置。
【請求項２】
前記制御手段は、前記差分検出手段による検出の結果、前記第１のコンテンツと前記第１の番組の終了時刻に差がない場合には、前記第２の番組を前記再生中の第１のコンテンツに続いて再生するように前記放送受信手段を制御することを特徴とする請求項１に記載の受信装置。
【請求項３】
前記再生中の第１のコンテンツが前記放送中の第１の番組よりも早く終了する場合であって、かつ、前記第２の番組と同内容の第２のコンテンツが前記コンテンツアーカイブから取得できない場合に、
前記制御手段は、第３のコンテンツを前記コンテンツアーカイブから取得するように前記コンテンツ取得手段を制御するとともに、前記再生中の第１のコンテンツの終了後から前記第２の番組の開始までの間、前記第３のコンテンツを再生するように前記再生手段を制御することを特徴とする請求項１または２に記載の受信装置。
【請求項４】
前記制御手段は、前記第１のコンテンツと前記第１の番組との間の終了時刻の差に等しい時間長のコンテンツを、前記第３のコンテンツとして、前記コンテンツアーカイブから取得するように前記コンテンツ取得手段を制御することを特徴とする請求項３に記載の受信装置。
【請求項５】
前記再生中の第１のコンテンツが前記放送中の第１の番組よりも遅く終了する場合であって、かつ、前記第２の番組と同内容の第２のコンテンツが前記コンテンツアーカイブから取得できない場合に、
前記制御手段は、前記第２の番組の開始時刻に、前記第１のコンテンツの再生を中断し、前記第２の番組の再生に切り換える制御を行うことを特徴とする請求項１〜４のいずれかに記載の受信装置。
【請求項６】
前記制御手段は、前記第１のコンテンツの再生から前記第２の番組の再生へ切り換えるか否かをユーザに選択させることを特徴とする請求項５に記載の受信装置。
【請求項７】
前記第１のコンテンツの再生が中断された場合に、その中断位置から前記第１のコンテンツの再生を再開するために必要な情報である中断情報を記憶部に記録する記録手段を有することを特徴とする請求項５または６に記載の受信装置。
【請求項８】
放送される番組を受信し再生する放送受信手段と、コンテンツアーカイブからコンテンツを取得するコンテンツ取得手段と、コンテンツの再生を行う再生手段と、を備える受信装置の制御方法であって、
放送中の第１の番組と同内容の第１のコンテンツを前記コンテンツアーカイブから取得し再生している場合に、前記再生中の第１のコンテンツと前記放送中の第１の番組との間の終了時刻の差を検出するステップと、
前記第１のコンテンツと前記第１の番組の終了時刻に差がある場合、前記第１の番組の次に開始する第２の番組と同内容の第２のコンテンツを前記コンテンツアーカイブから取得するように前記コンテンツ取得手段を制御する取得制御ステップと、
前記第２のコンテンツを前記再生中の第１のコンテンツに続いて再生するように前記再生手段を制御する再生制御ステップと、
を含むことを特徴とする受信装置の制御方法。
【請求項９】
前記再生制御ステップは、前記検出するステップによる検出の結果、前記第１のコンテンツと前記第１の番組の終了時刻に差がない場合には、前記第２の番組を前記再生中の第１のコンテンツに続いて再生するように前記放送受信手段を制御することを特徴とする請求項８に記載の受信装置の制御方法。
【請求項１０】
前記再生中の第１のコンテンツが前記放送中の第１の番組よりも早く終了する場合であって、かつ、前記第２の番組と同内容の第２のコンテンツが前記コンテンツアーカイブから取得できない場合に、
前記取得制御ステップは、第３のコンテンツを前記コンテンツアーカイブから取得するように前記コンテンツ取得手段を制御し、
前記再生制御ステップは、前記再生中の第１のコンテンツの終了後から前記第２の番組の開始までの間、前記第３のコンテンツを再生するように前記再生手段を制御することを特徴とする請求項８または９に記載の受信装置の制御方法。
【請求項１１】
前記取得制御ステップは、前記第１のコンテンツと前記第１の番組との間の終了時刻の差に等しい時間長のコンテンツを、前記第３のコンテンツとして、前記コンテンツアーカイブから取得するように前記コンテンツ取得手段を制御することを特徴とする請求項１０に記載の受信装置の制御方法。
【請求項１２】
前記再生中の第１のコンテンツが前記放送中の第１の番組よりも遅く終了する場合であって、かつ、前記第２の番組と同内容の第２のコンテンツが前記コンテンツアーカイブから取得できない場合に、
前記再生制御ステップは、前記第２の番組の開始時刻に、前記第１のコンテンツの再生
を中断し、前記第２の番組の再生に切り換える制御を行うことを特徴とする請求項８〜１１のいずれかに記載の受信装置の制御方法。
【請求項１３】
前記再生制御ステップは、前記第１のコンテンツの再生から前記第２の番組の再生へ切り換えるか否かをユーザに選択させることを特徴とする請求項１２に記載の受信装置の制御方法。
【請求項１４】
前記第１のコンテンツの再生が中断された場合に、その中断位置から前記第１のコンテンツの再生を再開するために必要な情報である中断情報を記憶部に記録する記録ステップを有することを特徴とする請求項１２または１３に記載の受信装置の制御方法。
【請求項１５】
放送される番組を受信し再生する放送受信手段と、
コンテンツアーカイブからコンテンツを取得するコンテンツ取得手段と、
前記コンテンツ取得手段が取得したコンテンツを再生する再生手段と、
放送中の第１の番組と同内容の第１のコンテンツを前記コンテンツアーカイブから前記コンテンツ取得手段が取得し、前記再生手段が再生している場合に、前記再生中の第１のコンテンツと前記放送中の第１の番組との間の終了時刻の差を検出する差分検出手段と、
前記再生中の第１のコンテンツが前記放送中の第１の番組よりも早く終了する場合に、他のコンテンツを前記コンテンツアーカイブから取得するように前記コンテンツ取得手段を制御するとともに、前記再生中の第１のコンテンツの終了後から前記第１の番組の次に放送される第２の番組の開始までの間、前記他のコンテンツを再生するように前記再生手段を制御する制御手段と、
を有することを特徴とする受信装置。
【請求項１６】
放送される番組を受信し再生する放送受信手段と、コンテンツアーカイブからコンテンツを取得するコンテンツ取得手段と、コンテンツの再生を行う再生手段と、を備える受信装置の制御方法であって、
放送中の第１の番組と同内容の第１のコンテンツを前記コンテンツアーカイブから取得し再生している場合に、前記再生中の第１のコンテンツと前記放送中の第１の番組との間の終了時刻の差を検出するステップと、
前記再生中の第１のコンテンツが前記放送中の第１の番組よりも早く終了する場合に、他のコンテンツを前記コンテンツアーカイブから取得するように前記コンテンツ取得手段を制御する取得制御ステップと、
前記再生中の第１のコンテンツの終了後から前記第１の番組の次に放送される第２の番組の開始までの間、前記他のコンテンツを再生するように前記再生手段を制御する再生制御ステップと、
を含むことを特徴とする受信装置の制御方法。
【手続補正２】
【補正対象書類名】明細書
【補正対象項目名】０００９
【補正方法】変更
【補正の内容】
【０００９】
本発明の第１態様は、
放送される番組を受信し再生する放送受信手段と、
コンテンツアーカイブからコンテンツを取得するコンテンツ取得手段と、
前記コンテンツ取得手段が取得したコンテンツを再生する再生手段と、
放送中の第１の番組と同内容の第１のコンテンツを前記コンテンツアーカイブから前記コンテンツ取得手段が取得し、前記再生手段が再生している場合に、前記再生中の第１の
コンテンツと前記放送中の第１の番組との間の終了時刻の差を検出する差分検出手段と、
前記第１のコンテンツと前記第１の番組の終了時刻に差がある場合、前記第１の番組の次に開始する第２の番組と同内容の第２のコンテンツを前記コンテンツアーカイブから取得するように前記コンテンツ取得手段を制御するとともに、前記第２のコンテンツを前記再生中の第１のコンテンツに続いて再生するように前記再生手段を制御する制御手段と、を有する受信装置である。
【手続補正３】
【補正対象書類名】明細書
【補正対象項目名】００１０
【補正方法】変更
【補正の内容】
【００１０】
本発明の第２態様は、
放送される番組を受信し再生する放送受信手段と、コンテンツアーカイブからコンテンツを取得するコンテンツ取得手段と、コンテンツの再生を行う再生手段と、を備える受信装置の制御方法であって、
放送中の第１の番組と同内容の第１のコンテンツを前記コンテンツアーカイブから取得し再生している場合に、前記再生中の第１のコンテンツと前記放送中の第１の番組との間の終了時刻の差を検出するステップと、
前記第１のコンテンツと前記第１の番組の終了時刻に差がある場合、前記第１の番組の次に開始する第２の番組と同内容の第２のコンテンツを前記コンテンツアーカイブから取得するように前記コンテンツ取得手段を制御する取得制御ステップと、
前記第２のコンテンツを前記再生中の第１のコンテンツに続いて再生するように前記再生手段を制御する再生制御ステップと、
を含む受信装置の制御方法である。
【手続補正４】
【補正対象書類名】明細書
【補正対象項目名】００１１
【補正方法】変更
【補正の内容】
【００１１】
本発明の第３態様は、
放送される番組を受信し再生する放送受信手段と、
コンテンツアーカイブからコンテンツを取得するコンテンツ取得手段と、
前記コンテンツ取得手段が取得したコンテンツを再生する再生手段と、
放送中の第１の番組と同内容の第１のコンテンツを前記コンテンツアーカイブから前記コンテンツ取得手段が取得し、前記再生手段が再生している場合に、前記再生中の第１のコンテンツと前記放送中の第１の番組との間の終了時刻の差を検出する差分検出手段と、
前記再生中の第１のコンテンツが前記放送中の第１の番組よりも早く終了する場合に、他のコンテンツを前記コンテンツアーカイブから取得するように前記コンテンツ取得手段を制御するとともに、前記再生中の第１のコンテンツの終了後から前記第１の番組の次に放送される第２の番組の開始までの間、前記他のコンテンツを再生するように前記再生手段を制御する制御手段と、
を有する受信装置である。
【手続補正５】
【補正対象書類名】明細書
【補正対象項目名】００１２
【補正方法】変更
【補正の内容】
【００１２】
本発明の第４態様は、
放送される番組を受信し再生する放送受信手段と、コンテンツアーカイブからコンテンツを取得するコンテンツ取得手段と、コンテンツの再生を行う再生手段と、を備える受信装置の制御方法であって、
放送中の第１の番組と同内容の第１のコンテンツを前記コンテンツアーカイブから取得し再生している場合に、前記再生中の第１のコンテンツと前記放送中の第１の番組との間の終了時刻の差を検出するステップと、
前記再生中の第１のコンテンツが前記放送中の第１の番組よりも早く終了する場合に、他のコンテンツを前記コンテンツアーカイブから取得するように前記コンテンツ取得手段を制御する取得制御ステップと、
前記再生中の第１のコンテンツの終了後から前記第１の番組の次に放送される第２の番組の開始までの間、前記他のコンテンツを再生するように前記再生手段を制御する再生制御ステップと、
を含む受信装置の制御方法である。